(57)【要約】【課題】室内へ供給される空気にアレルギーの原因となる微粒子が混入することを防止し、室内の空調を行なうことができるアレルギー対策の換気空調装置及び建築物を提供する。【解決手段】排気ファン１６が、浴室１２、トイレ１４等の空気が汚れやすい室の空気を室外へ排気し、第１の吸気ファン２２が、居室１８の空気を混合装置２０へ吸引し、第２の吸気ファン２４が室外の空気を混合装置２０へ吸引する。混合装置２０内で混合された空気は、エアクリーナ２６でアレルギーの原因となる微粒子が除去され、空調機２８で各室内が所定温度及び所定湿度となるように空調されて各室へ供給される。【選択図】図１
2009036395.tif 000002
【特許請求の範囲】
【請求項１】
室内の空気を吸引して室外に排気する排気手段と、
室内の空気を吸引する第１の吸引手段と、
室外の空気を吸引する第２の吸引手段と、
前記第１の吸引手段で吸引された空気と前記第２の吸引手段で吸引された空気とが供給されて混合される混合手段と、
前記混合手段で混合された空気から微粒子を除去する除去手段と、
前記除去手段で微粒子が除去された空気の空調を行って室内に供給する供給手段と、
を含むアレルギー対策用換気空調装置。
【請求項２】
前記除去手段に、１０μｍ以下の微粒子を除去するフィルタを設けた請求項１に記載のアレルギー対策用換気空調装置。
【請求項３】
前記供給手段が、室内の相対湿度が４０〜６０％、室内の温度が夏期２７〜２９℃、冬期１７〜２０℃、上下階の室の温度差が１℃以下、及び南側に位置する室の温度と北側に位置する室の温度との差が１℃以下となるように空調を行う請求項１または請求項２に記載のアレルギー対策用換気空調装置。
【請求項４】
前記除去手段を１台のエアクリーナで構成した請求項１〜請求項３の何れか１項に記載のアレルギー対策用換気空調装置。
【請求項５】
請求項１〜請求項４の何れかのアレルギー対策用換気空調装置を備えたアレルギー対策用建築物。
【発明の詳細な説明】
【技術分野】
【０００１】
本発明は、アレルギー対策用換気空調装置及び建築物に関する。
【背景技術】
【０００２】
建物内部の空気を換気する装置として、浴室換気扇を備えた浴室と、外気流入口を備えた室内との間の空気の通路となる通路部に浮遊する塵等を除去可能なフィルタを備えた換気装置が知られている（特許文献１参照）。
【０００３】
また、室内のカビやダニなどの発生を防止するために、冬期暖房時においては気温が１５℃以内で相対湿度が９５％以下になるように、また夏期冷房時においては相対湿度が８０％以下になるような構造とすることが提案されている（特許文献２参照）。
【特許文献１】特開平１１−１７３６２２
【特許文献２】特開平９−４１５０８
【発明の開示】
【発明が解決しようとする課題】
【０００４】
しかしながら、従来の換気装置では、外部流入口から流入する外部の空気に含まれる微粒子が室内に混入するためアレルギー対策を行うことができない、という問題がある。
【０００５】
また、従来の構造では、湿度が低下しすぎた場合には、ビールスやバクテリアが人体へ悪影響を及ぼすためアレルギー対策を行うことができない、という問題がある。
【０００６】
本発明は、上記問題を解決すべく成されたもので、室内へ供給される空気にアレルギーの原因となる微粒子が混入することを防止し、室内の温度及び湿度を適切な状態に保つことによってアレルギー対策を行なうことができるアレルギー対策用換気空調装置及び建築物を提供することを目的とする。
【課題を解決するための手段】
【０００７】
上記目的を達成するために本発明のアレルギー対策用換気空調装置は、室内の空気を吸引して室外に排気する排気手段と、室内の空気を吸引する第１の吸引手段と、室外の空気を吸引する第２の吸引手段と、前記第１の吸引手段で吸引された空気と前記第２の吸引手段で吸引された空気とが供給されて混合される混合手段と、前記混合手段で混合された空気から微粒子を除去する除去手段と、前記除去手段で微粒子が除去された空気の空調を行って室内に供給する供給手段と、を含んで構成されている。
【０００８】
本発明によれば、第１の吸引手段で吸引された室内の空気と第２の吸引手段で吸引された室外の空気とが混合手段で混合され、除去手段によって混合手段で混合された空気から微粒子が除去される。除去手段で微粒子が除去された空気は、供給手段によって空調が行われて室内に供給される。これにより、室内へ供給される空気からアレルギーの原因となる微粒子が除去され、アレルギー対策を行うことができる。
【０００９】
また、混合手段で混合された空気から微粒子を除去しているため、第１の吸引手段及び第２の吸引手段のそれぞれについて除去手段を設ける場合と比較して、装置の構成を簡略化でき、コスト低減を図ることができる。
【００１０】
また、本発明の除去手段は、１０μｍ以下の微粒子を除去するのが効果的である。これにより、ダニのフン、タバコの煙、バクテリア、ハウスダスト、花粉、及び粉塵などのアレルギーの原因となる１０μｍ以下の微粒子を除去することができる。
【００１１】
また、本発明では、室内の相対湿度が４０〜６０％、室内の温度が夏期２７〜２９℃、冬期１７〜２０℃、上下階の室の温度差が１℃以下、及び南側に位置する室の温度と北側に位置する室の温度との差が１℃以下となるように空調を行うのが好ましい。
【００１２】
これにより、室内環境がアレルギーの原因となるダニやカビの発生しやすい高温多湿になることを防止し、また、バクテリアやビールスが増殖し易い多乾燥となることを防止することができる。さらに、上下階の室の温度差が１℃以下、及び南側に位置する室の温度と北側に位置する室の温度との差が１℃以下となるように空調を行うことによって、結露を防止し、結露によるカビの繁殖を防止することができる。
【００１３】
また、本発明の除去手段を１台のエアクリーナで構成することにより、各部屋にエアクリーナを設ける場合と比較してエアクリーナの掃除及びメンテナンスにかかる負担を軽減することができるため、エアクリーナの掃除及びメンテナンス不足によりダクト内に蓄積した微粒子が各室にばら撒かれたり、エアクリーナのフィルタの目詰まりによりファンモータへの負荷が増加したり、ということを防止することができる。
【００１４】
また、本発明のアレルギー対策用換気空調装置を建築物に取り付けることにより、アレルギー対策用建築物を構成することができる。
【００１５】
なお、アレルギー対策用換気空調装置を取り付ける建築物は、間隔を隔てて立設された複数のたて枠と、隣接するたて枠間に設けられた開口部と、該開口部の上側に対応して横方向に渡されたまぐさとを備え、該まぐさは、少なくとも前記開口部の一側に位置するたて枠の外側に位置する前記たて枠から、前記開口部の他側に位置するたて枠の外側に位置する前記たて枠まで渡って設けられ、これらたて枠にそれぞれに固定された建築構造体を有する建築物を用いることができる。
【００１６】
これにより、建築物の断熱効果を向上させることができ、本発明のアレルギー対策用換気空調装置による空調効率を向上させることができる。
【００１７】
また、前記まぐさは、前記各たて枠のそれぞれに形成された切欠部に載置され、当該たて枠に固定されるようにすることができる。
【００１８】
また、間伐材、及び、比較的強度の弱い材木により前記たて枠を構成することができる。
【００１９】
また、前記開口部の一側及び他側の少なくとも一方に位置する前記たて枠の一側及び他側の少なくとも一方に、前記まぐさの荷重を受ける補強材を設けることができる。
【発明の効果】
【００２０】
以上説明したように本発明によれば、室内へ供給される空気にアレルギーの原因となる微粒子が混入することを防止し、室内の温度及び湿度を適切な状態に保つことができる、という効果が得られる。
【発明を実施するための最良の形態】
【００２１】
以下、図面を参照して本発明のアレルギー対策用換気空調装置を備えたアレルギー対策用建築物の実施の形態について説明する。図１は、本実施の形態に係るアレルギー対策用建築物１０の概略構成図である。図１に示すように、本実施の形態に係るアレルギー対策用建築物１０には、浴室１２、トイレ１４等の空気の汚れやすい室内の空気を吸引して室外に排気する排気ファン１６と、居室１８の空気を居室１８のドアの隙間６８、廊下７０、階段７２、及び階段ホール７４を介して吸引して混合装置２０へ導く第１の吸気ファン２２と、室外の空気を吸引して混合装置２０へ導く第２の吸気ファン２４と、混合装置２０で混合された空気から微粒子を除去するエアクリーナ２６と、エアクリーナ２６で微粒子が除去された空気を空調する空調機２８とが設けられている。
【００２２】
排気ファン１６は、排気ダクト３０を介して浴室１２、及びトイレ１４の天井に設けられた排気口３２と連通しており、浴室１２、及びトイレ１４の空気を浴室１２、及びトイレ１４の天井に設けられた排気口３２から吸い込んで排気ダクト３０を介して室外へ排気する。
【００２３】
図１では、空気の汚れやすい室として浴室１２、及びトイレ１４を挙げているが、空気の汚れ易い室として他には、図２に示すように、台所４２、納戸４４、及びクローゼット４６等があり、これらも図1で示す浴室１２、及びトイレ１４と同様の構成となる。なお、クローゼット４６は、室内の収納箇所として設置される場合だけでなく、クローゼット４６のみで一室を形成するような、所謂ウォークインクローゼットも含まれる。
【００２４】
また、排気ファン１６は、第１の吸気ファン２２と比較して小容量のものであり、１時間に０．５回室内の空気を入れ換えることができる程度の容量であれば良い。
【００２５】
第１の吸気ファン２２は、空調機２８、エアクリーナ２６、混合装置２０、及び換気ダクト３４を介して２階の階段ホール７４に設けられた排気口３２と連結しており、居室１８の空気を居室１８のドアの隙間６８、廊下７０、階段７２、及び階段ホール７４を介して、階段ホール７４に設けられた排気口３２から吸い込んで換気ダクト３４を介して混合装置２０へ供給する。なお、２階の居室１８の空気については、廊下７０及び階段７２を介する必要はない。
【００２６】
また、第１の吸気ファン２２は、排気ファン１６と比較して大容量のものであり、例えば、１時間に２〜３回室内の空気を入れ換えることができる程度の容量のものであることが好ましい。
【００２７】
第２の吸気ファン２４は、室外の空気を吸い込んで混合装置２０へ供給する。第２の吸気ファン２４は、第１の吸気ファン２２と比較して小容量のものであり、排気ファン１６と同様に１時間に０．５回室内の空気を入れ換えることができる程度の容量であれば良い。
【００２８】
混合装置２０は、空気を貯留する容器で構成され、混合装置２０内で第１の吸気ファン２２により居室１８から供給された空気と第２の吸気ファン２４により室外から供給された空気とが混合される。
【００２９】
エアクリーナ２６は、混合装置２０と連結されており、混合装置２０内で混合された空気から微粒子を除去する。また、エアクリーナ２６は、例えば、粒径が大きいほこりを除去するプレフィルタと、イオン化部及び集じん部を有する電子フィルタとを含んで構成されており、粒径が小さい微粒子をイオン化した後、集じん部で吸着することにより１０μｍ以下の微粒子を除去する。
【００３０】
空調機２８は、エアクリーナ２６と連結されており、エアクリーナ２６により微粒子が除去された空気の空調を行う。空調機２８は、マイクロコンピュータ等で構成された制御装置３６に接続されている。制御装置３６は、ＣＰＵ、ＲＯＭ、及びＲＡＭを含んで構成され、記憶媒体としてのＲＯＭには以下で説明する処理ルーチンのプログラムが記憶されている。
【００３１】
また、空調機２８は、給気ダクト３８を通じて各居室１８の床面または天井に設けれた給気口４０と連通しており、建築物１０の１階に位置する居室１８の場合には天井に設けられた給気口４０から、建築物１０の２階に位置する居室１８の場合には床面に設けられた給気口４０から各居室１８へ空調された空気を供給する。
【００３２】
建築物１０の１室、例えば、リビングルームなどに該当する１階の居室１８には温度センサＴ及び湿度センサＨが設けられており、制御装置３６は、温度センサＴ及び湿度センサＨにより検出された居室１８の温度及び湿度を取り込んで後述する処理ルーチンのプログラムに従って空調の制御を行う。なお、温度センサＴ及び湿度センサＨは、各室にそれぞれ設けても良い。
【００３３】
なお、本実施の形態では、排気口３２は浴室１２及びトイレ１４の天井に設け、給気口４０は１階の居室１８については天井に設け、２階の居室１８については床面に設ける構成としたが、これに限定されるものではなく、排気口３２及び給気口４０は、天井または床面のいずれに設けても良いし、また、壁面に設ける構成としても良い。
【００３４】
図２は、本実施の形態のアレルギー対策用換気空調装置のブロック図を示すものである。図２を参照して、空気の流れに着目し、本実施の形態のアレルギー対策用換気空調装置について詳細に説明する。
【００３５】
浴室１２、台所４２、トイレ１４、納戸４４、及びクローゼット４６等の空気が汚れやすい室の空気は、小容量の排気ファン１６により吸い込まれて各室の排気口３２（図１に図示）から排気ダクト３０を通って室外へ排気される。これにより、アレルギーの原因となる微粒子の一部は室外に排出される。
【００３６】
居室１８の空気は、大容量の第１の吸気ファン２２により吸引されて、居室１８のドアの隙間６８から廊下７０へ流出し、階段７２及び階段ホール７４を通って階段ホール７４の排気口３２（図１に図示）から換気ダクト３４を通って第１の吸気ファン２２の吸引力により負圧となった混合装置２０内へ混合装置２０のリターン口４８から導かれる。なお、２階の居室１８の空気については、居室１８のドアの隙間６８から階段ホール７４へ流出する。
【００３７】
室外の空気は、小容量の第２の吸気ファン２４により吸引されて、混合装置２０の吸気口５０から混合装置２０へ導かれる。混合装置２０へ室外から導かれる空気は、室外に存在する花粉、粉塵等のアレルギーの原因となる微粒子を含む場合がある。
【００３８】
混合装置２０内では、居室１８から供給された空気と室外から供給された空気とが混合される。第１の吸気ファン２２の吸引力で、混合装置２０内の空気はエアクリーナ２６へ導かれ、カビ、ダニ、ハウスダスト、花粉、粉塵等の微粒子が除去される。
【００３９】
エアクリーナ２６により微粒子が除去された空気は、第１の吸気ファン２２の吸引力で、エアクリーナ２６に連結された空調機２８へ導かれる。
【００４０】
空調機２８で空調された空気は、第１の吸気ファン２２により、空調機吹出口５２から吹き出され、給気ダクト３８を通って各居室１８の給気口４０（図１に図示）から各居室１８へ供給される。給気ダクト３８は、例えば、角ダクトを用いることができ、大容量の第１の吸気ファン２２とあわせて、建築物１０内の居室１８全てに空気を供給することができる。なお、給気ダクト３８が各居室１８へ枝分かれする部分には蛇腹ダクトを用いることができる。
【００４１】
各居室１８へ供給された空気は、第１の吸気ファン２２の吸引力により負圧となった階段ホール７４へ向かって居室１８のドアの隙間６８から流出し、または、排気ファン１６の吸引力により負圧となった浴室１２、台所４２、トイレ１４、納戸４４、及びクローゼット４６へ向かって居室１８のドアの隙間６８から流出する。階段ホール７４へ流出した空気は、排気口３２から換気ダクト３４を通って、混合装置２０、エアクリーナ２６、及び空調機２８を介して再び各居室１８へ供給される。浴室１２、台所４２、トイレ１４、納戸４４、及びクローゼット４６へ流出した空気は排気ダクト３０を通って室外へ排気される。
【００４２】
なお、本実施の形態では、浴室１２、台所４２、トイレ１４、納戸４４、及びクローゼット４６を空気が汚れやすい室として構成したが、これに限定されるものではなく任意に決定することができる。
【００４３】
図３は、本実施の形態における空調制御の処理ルーチンを示すフローチャートである。
【００４４】
ステップ１００で、１階の居室１８の１室（ここではリビングルームとする。）に設けられた温度センサＴ及び湿度センサＨで検出された各室の温度及び湿度を取り込む。
【００４５】
次に、ステップ１０２で、現在の季節が「夏」か「冬」かを判断する。この判断は、利用者による切換設定や、コンピュータに設けられたカレンダーに基づいて判断しても良いし、室外または排気ファン１６により吸引された空気の温度及び湿度を検出して判断しても良い。
【００４６】
ステップ１０２で、現在の季節が「夏」と判断された場合には、ステップ１０４で、リビングルームの温度が２７〜２９℃であるかを判断する。２７〜２９℃の場合には、ステップ１０８へ進み、２７〜２９℃でない場合には、ステップ１１０へ進む。
【００４７】
ステップ１０２で、現在の季節が「冬」と判断された場合には、ステップ１０６で、リビングルームの温度が１７〜２０℃であるかを判断する。１７〜２０℃の場合には、ステップ１０８へ進み、１７〜２０℃でない場合には、ステップ１１０へ進む。
【００４８】
次に、ステップ１０８で、リビングルームの相対湿度が４０〜６０％かを判断する。４０〜６０％の場合には、室内の温度及び湿度は適切に保たれており、空調制御を行って温度及び湿度の調整をする必要がないため、ステップ１００へ戻り本ルーチンを繰り返す。４０〜６０％でない場合には、ステップ１１０へ進む。
【００４９】
ステップ１０４で否定され、ステップ１１０へ進んだ場合には、各室の温度が２７〜２９℃となるように空調制御を行う。また、ステップ１０６で否定され、ステップ１１０へ進んだ場合には、各室の温度が１７〜２０℃となるように空調制御を行う。また、ステップ１０８で否定され、ステップ１１０へ進んだ場合には、各室の相対湿度が４０〜６０％となるように空調制御を行う。
【００５０】
具体的には、各室へ供給する空気の温度及び湿度を調整したり、各室への供給パワーを調整したりすることにより空調制御を行う。このように空調制御を行うことにより、断熱性及び気密性が保たれている建築物１０内においては、上下階の室の温度差が１℃以下、及び南側に位置する室の温度と北側に位置する室の温度との差が１℃以下の状態に保たれる。
【００５１】
次に、本実施の形態のアレルギー対策用建築物１０を構成する建築構造体５４について詳細に説明する。
【００５２】
図４に示すように建築構造体５４は、建築物１０に立設され、外壁や間仕切りなどに用いられるものである。建築構造体５４は、図５に示すように、所定の間隔（例えば、約５００ｍｍ間隔）で立設された複数のたて枠５６と、このたて枠５６の上部に取り付けられる上枠５８と、下部に取り付けられる下枠６０とから構成されている。
【００５３】
建築物１０に用いられる材木は、長さ約２．４ｍ〜６．０ｍであるが、建築構造体５４に用いられるたて枠５６の多くは約２．４ｍ〜２．７ｍの材木にて構成されている。この建築物１０で一般的に使用される材木は、厚さ２インチ、幅４インチの２×４(ツーバイフォー）工法用の材木が用いられている。また、厚さ２インチ、幅６インチの２×６（ツーバイシックス）、厚さ２インチ、幅８インチの２×８（ツーバイエイト）、厚さ２インチ、幅１０インチの２×１０（ツーバイテン）、厚さ２インチ、幅１２インチの２×１２（ツーバイトエレブ）などもあり、それらも２×４（ツーバイフォー）同様建築構造体５４に用いられるものである。
【００５４】
建築構造体５４の所定位置（左右及び上下の間）には開口部６２が設けられており、この開口部６２の上側には、まぐさ６４（出入り口や窓、扉などが設けられる開口部６２上側の横木）が設けられている。すなわち、建築物１０の出入り口や窓、扉などが設けられる開口部６２は、それらから大きさが決められて建築構造体５４の所定位置に設けられる。この建築構造体５４は、開口部６２以外の殆どの部分が建築物１０の壁となる。なお、まぐさ６４については後で詳しく説明する。
【００５５】
たて枠５６上部には、図６に示すようにまぐさ６４を載置可能な切欠部６６が設けられている。切欠部６６は、たて枠５６の長手方向上端部から下端部方向に、まぐさ６４の幅寸法（例えば１０インチ）切り欠かれると共に、たて枠５６の幅方向に、まぐさ６４の厚さ寸法距離（実際には２インチ）切り欠かれている。すなわち、切欠部６６にまぐさ６４が載置された状態で、たて枠５６の上端部の面、及び、切欠部６６側の面が面一となる寸法で、たて枠５６の切欠部６６が切り欠かれている。なお、切欠部６６（まぐさ６４）は、建築物１０の外側（建築構造体５４の外側）に位置して設けられる。
【００５６】
まぐさ６４は、建築構造体５４の一側端から他側端に渡って設けられている。詳しくは、まぐさ６４は図７に示すように、複数のたて枠５６が所定の間隔で立設された建築構造体５４の一側端（図中左側）のたて枠５６から、他側端（図中右側）のたて枠５６に渡って設けられる、所謂通しまぐさである。まぐさ６４は、図中矢印で示すように各たて枠５６に設けられたそれぞれの切欠部６６に載置された状態で、各切欠部６６に釘などの固定部材で固定される（図中点線）。
【００５７】
各たて枠５６の上端部分（図中上側）には上枠５８（図５に図示）、下端部分（図中下側）には下枠６０が、建築構造体５４の一側端のたて枠５６から、他側端のたて枠５６に渡って、釘などの固定部材にて固定される。そして、たて枠５６と、たて枠５６との間に開口部６２（例えば、２本のたて枠５６を取り除いた空間部分）が形成され、その開口部６２内にはアルミサッシュや障子などの建具が取り付けられる。なお、開口部６２は、隣接するたて枠５６空間、あるいは、所定本数のたて枠５６を除いた空間部分であっても差し支えない。
【００５８】
この開口部６２の上側には、開口部６２両端のたて枠５６間に渡って、上枠５８同様の上枠５８Ａが設けられており、開口部６２の下側には、当該開口部６２両端のたて枠５６間に渡って、下枠６０同様の下枠６０Ａが設けられている。また、開口部６２下側の下枠６０Ａと下枠６０との間にはたて枠５６同様に構成されると共に、たて枠５６よりも長さが短いたて枠５６Ｂが設けられている。
【００５９】
また、開口部６２上側の上枠５８Ａと、上枠５８との間にはたて枠５６同様に構成されると共に、たて枠５６よりも長さが短いたて枠５６Ａが設けられている。このたて枠５６Ａは、上枠５８Ａと上枠５８に、たで枠５６Ｂは下枠６０Ａと下枠６０にそれぞれ固定部材にて固定され、建築構造体５４が組み立てられる。なお、たて枠５６Ｂは、下枠６０Ａの両端下部にも設けられている。
【００６０】
一方、図８には他の例の建築構造体５４を示している。建築構造体５４は、前述の実施の形態と略同じ構成を有している。以下、異なる部分について説明する。なお、前述の実施の形態と同じ部分にはこれと同じ符号を付し、説明を省略する。また、建築構造体５４は、図８に示すように、所定位置に開口部６２が設けられている。
【００６１】
開口部６２の上側には、まぐさ６４よりも長さが短いまぐさ６４が設けられており、この短いまぐさ６４は、少なくとも開口部６２一側（図中左側）と他側（図中右側）に所定寸法延在している。詳しくは、開口部６２一側に延在するまぐさ６４は、開口部６２の一側に位置するたて枠５６と、そのたて枠５６に対して開口部６２と離間する側に隣接するたて枠５６まで延在している。
【００６２】
また、開口部６２の他面に延在するまぐさ６４は、開口部６２の他側に位置するたて枠５６と、そのたて枠５６に対して開口部６２と離間する側に隣接するたて枠５６まで延在している。該まぐさ６４は、少なくとも開口部６２両側に位置するたて枠５６よりも、両外側のたて枠５６まで延在している。すなわち、まぐさ６４は、少なくとも開口部６２一側のたて枠５６外側に設けられたたて５６から、開口部６２他側のたて枠５６外側に設けられたたて枠５６間に渡って設けられている。
【００６３】
詳しくは、まぐさ６４は、少なくとも開口部６２の一側に位置するたて枠５６の外側（開口部６２に対して一側方向外側）に位置するたて枠５６から、開口部６２の他側に位置するたて枠５６の外側（開口部６２に対して他側方向外側）に位置するたて枠５６まで延在している。係るまぐさ６４は、図中矢印で示すようにそれらのたて枠５６に設けられたそれぞれの切欠部６６に載置された状態で、各切欠部６６に釘などの固定部材で固定される（図中点線）。なお、この場合、まぐさ６４より外側（建築構造体５４の両端方向）のたて枠５６には切欠部６６を設けず、まぐさ６４を載置する箇所だけに切欠部６６を設けている。
【００６４】
この場合、まぐさ６４の下側（この場合開口部６２部分）にはたて枠５６を取り除いた状態で開口部６２を形成しているので、まぐさ６４全体に上部から荷重が加わった場合、開口部６２部分のまぐさ６４には下方に撓む方向に重力が加わる。すなわち、まぐさ６４に上から重力が加わると、開口部６２部分に位置するまぐさ６４は、たて枠５６の切欠部６６を支点にして下方に弓なりに反る応力が働き、支点の外側となる開口部６２外側に延在するまぐさ６４は上方に反り上がる応力が働くことになる、しかし、まぐさ６４には、全体に上からの重力が加わっているので、両支点の外側に延在するまぐさ６４は上から加わる重力により上方に反り上がることができない。
【００６５】
この場合、両支点の外側に延在するまぐさ６４は、上よりの重力で押さえつけられているので、支点の内側には反力が加わることになる。すなわち、両支点の外側に延在するまぐさ６４が上よりの重力で押さえつけられることによる反力で、支点内側のまぐさ６４には上方に反り上がる応力が作用する。これにより、支点より内側に位置するまぐさ６４が、上から加わる重力で下方に弓なりに下方に反ってしまうのを防止することができる。
【００６６】
すなわち、開口部６２部分に位置するまぐさ６４が下方に撓んでしまうのを防止することができるので、従来複数枚使用していたまぐさ６４を一枚のまぐさ６４で構成することが可能となる。そして、まぐさ６４は、建築構造体５４の外側に位置して設けられるので、建築構造体５４の内側（建築物１０の室内側）には、まぐさ６４一枚、或いは、複数枚分の断熱材を設けることができる。これにより、まぐさ６４部分の断熱効果を向上させることができる。
【００６７】
本実施の形態のアレルギー対策用換気空調装置では、居室１８の空気を、居室１８−換気ダクト３４−混合装置２０−エアクリーナ２６−空調機２８−給気ダクト３８−居室１８と循環しているので、このような建築構造体５４によりアレルギー対策用換気空調装置を備えたアレルギー対策用建築物１０を構成することにより、断熱効果を向上させて空調効率を向上させることができる。
【００６８】
以上説明したように、本実施の形態では、室内へ供給される空気にアレルギーの原因となる微粒子が混入することを防止し、室内の温度及び湿度を適切な状態に保つことができる、という効果が得られる。
【図面の簡単な説明】
【００６９】
【図１】本実施の形態のアレルギー対策用建築物の概略構成図である。
【図２】本実施の形態のアレルギー対策用換気空調装置のブロック図である。
【図３】本実施の形態のアレルギー対策用換気空調装置の空調制御の処理ルーチンを示すフローチャートである。
【図４】本実施の形態のアレルギー対策用建築物の斜視図である。
【図５】本実施の形態のアレルギー対策用建築物の建築構造体の斜視図である。
【図６】本実施の形態のアレルギー対策用建築物の建築構造体を構成するたて枠の斜視図である。
【図７】本実施の形態のアレルギー対策用建築物の建築構造体の組み立て斜視図である。
【図８】本実施の形態のアレルギー対策用建築物の建築構造体の組み立て斜視図である。
【符号の説明】
【００７０】
１０  アレルギー対策用建築物
１２  浴室
１４  トイレ
１６  排気ファン
１８  居室
２０  混合装置
２２  第1の吸気ファン
２４  第２の吸気ファン
２６  エアクリーナ
２８  空調機
３０  排気ダクト
３２  排気口
３４  換気ダクト
３６  制御装置
３８  給気ダクト
４０  給気口
６８  ドアの隙間
７０  廊下
７２  階段
７４  階段ホール
Ｔ    温度センサ
Ｈ    湿度センサ
【図１】
2009036395.tif 000003
【図２】
2009036395.tif 000004
【図３】
2009036395.tif 000005
【図４】
2009036395.tif 000006
【図５】
2009036395.tif 000007
【図６】
2009036395.tif 000008
【図７】
2009036395.tif 000009
【図８】
2009036395.tif 000010